(57)【要約】【課題】表示品位の低下防止と低消費電力化を両立する。【解決手段】スイッチ２６０は、データ線２１１の各々に対応して設けられるとともに、一端がデータ線に接続される一方、他端が給電線２８１に共通接続される。ランプ信号生成回路１０は、選択電圧の印加期間にわたって電圧が単調変化するランプ信号Ｖrpを生成し、バッファ回路２０は、ランプ信号Ｖrpの電圧をバッファリングしたランプ信号Ｖoutを給電線２８１に供給する。データ線駆動回路２５０は、選択電圧の印加期間において、スイッチ２６０を当該選択電圧が印加された走査線と当該スイッチの一端に接続されたデータ線との交差に対応する画素の階調に応じた期間だけオン状態とし、この後、当該スイッチをオフ状態に制御する。バッファ回路２０は、選択電圧の印加期間において、当該選択電圧が印加された走査線に位置する画素の１行分の表示内容に応じてランプ信号Ｖoutの駆動能力を切り替える。【選択図】図１
2008170842.tif 000002
【特許請求の範囲】
【請求項１】
複数の走査線と複数のデータ線との交差に対応して設けられた画素電極とスイッチング
素子との対を含み、前記スイッチング素子は、前記データ線と前記画素電極との間にて、
前記走査線に選択電圧が印加されたときに導通状態となる複数の画素を備える電気光学装
置の駆動回路であって、
前記複数の走査線を所定の順番で選択して前記選択電圧を印加する走査線駆動回路と、
前記複数のデータ線の各々に対応して設けられるとともに、一端が前記データ線に接続
される一方、他端が給電線に共通接続された複数のデータ側スイッチと、
一の走査線に前記選択電圧が印加される期間にわたって電圧が単調変化するランプ信号
を生成するランプ信号生成回路と、
前記ランプ信号をバッファリングして、前記給電線または前記画素電極に対向するコモ
ン電極のいずれか一方に供給するバッファ回路と、
前記複数の走査線のうち、一の走査線に選択電圧が印加された期間において、前記デー
タ側スイッチを、当該選択電圧が印加された走査線と当該データ側スイッチの一端に接続
されたデータ線との交差に対応する画素の階調に応じた期間だけオン状態とし、この後、
当該データ側スイッチをオフ状態に制御するデータ線駆動回路と、
を備え、
前記バッファ回路は、前記選択電圧が印加された期間において、当該選択電圧が印加さ
れた走査線に位置する画素の１行分の表示内容に応じて前記ランプ信号の駆動能力を切り
替える
ことを特徴とする電気光学装置の駆動回路。
【請求項２】
前記選択電圧が印加された期間において、
前記給電線またはコモン電極のいずれか他方は所定の電圧に保たれ、
前記ランプ信号の電圧は、前記所定の電圧から離反する方向に変化し、
前記バッファ回路は、前記データ側スイッチがオンしている列数が少なくなるにつれて
、前記ランプ信号の駆動能力を低下させる
ことを特徴とする請求項１に記載の電気光学装置の駆動回路。
【請求項３】
前記バッファ回路は、
互いに並列接続された複数のオペアンプと、
前記選択電圧が印加された期間において前記データ側スイッチがオンしている列数に応
じて、前記複数のオペアンプのうち、バッファ動作を実行させるバッファの組み合わせを
決定する負荷判定回路と、
を含むことを特徴とする請求項２に記載の電気光学装置の駆動回路。
【請求項４】
複数の走査線と複数のデータ線との交差に対応して設けられた画素電極とスイッチング
素子との対を含み、前記スイッチング素子は、前記データ線と前記画素電極との間にて、
前記走査線に選択電圧が印加されたときに導通状態となる複数の画素と、
前記複数の走査線を所定の順番で選択して前記選択電圧を印加する走査線駆動回路と、
前記複数のデータ線の各々に対応して設けられるとともに、一端が前記データ線に接続
される一方、他端が給電線に共通接続された複数のデータ側スイッチと、
一の走査線に前記選択電圧が印加される期間にわたって電圧が単調変化するランプ信号
を生成するランプ信号生成回路と、
前記ランプ信号をバッファリングして、前記給電線または前記画素電極に対向するコモ
ン電極のいずれか一方に供給するバッファ回路と、
前記複数の走査線のうち、一の走査線に選択電圧が印加された期間において、前記デー
タ側スイッチを、当該選択電圧が印加された走査線と当該データ側スイッチの一端に接続
されたデータ線との交差に対応する画素の階調に応じた期間だけオン状態とし、この後、
当該データ側スイッチをオフ状態に制御するデータ線駆動回路と、
を備え、
前記バッファ回路は、前記選択電圧が印加された期間において、当該選択電圧が印加さ
れた走査線に位置する画素の１行分の表示内容に応じて前記ランプ信号の駆動能力を切り
替える
ことを特徴とする電気光学装置。
【請求項５】
請求項４に記載の電気光学装置を備えたことを特徴とする電子機器。
【発明の詳細な説明】
【技術分野】
【０００１】
本発明は、アクティブマトリクス型の電気光学装置において低消費電力化と表示品位の
低下防止とを図る技術に関する。
【背景技術】
【０００２】
液晶などの電気光学的な変化により表示を行う電気光学装置は、走査線に選択電圧が印
加される期間に、階調に応じた電圧を、データ線を介し画素電極に印加することによって
画素に印加される電圧実効値を制御し、これにより、階調表示を行う構成のものがある。
ただし、このような構成では、階調に応じた電圧を正極性および負極性の両極性で個別に
生成する必要があるので、電圧を生成する回路が複雑化する、という問題がある。
そこで、走査線に選択電圧が印加される期間に、例えばコモン電極を一定の電圧に保つ
一方、画素電極に対し電圧が単調変化する信号を、オン状態のスイッチおよびデータ線を
介して印加するとともに、階調に応じた時間が経過した時点で当該スイッチをオフさせて
、これにより画素電極とコモン電極との差電圧を保持させる技術が提案されている（特許
文献１参照）。
【特許文献１】特許第３３６７８０８号公報
【発明の開示】
【発明が解決しようとする課題】
【０００３】
しかしながら、上記技術において、電圧が単調変化する信号がなんらかの原因で所定通
りに変化しない場合、画素電極とコモン電極との差電圧が目的とする階調に応じた値には
ならないので、目的とする階調が得られず、表示品位が低下してしまう、という問題が指
摘されている。
ここで、電圧が単調変化する信号が所定通りに変化しない原因は、主に当該信号を供給
する信号線の負荷容量が変化するためである、と考えられるので、当該信号を十分に高い
駆動能力で供給する構成であれば、良いはずであるが、このような構成では、低消費電力
化を図ることができなくなる。
本発明は、このような事情に鑑みてなされたもので、その目的とするところは、電気光
学装置において低消費電力化と表示品位の低下防止との両立を図った電気光学装置、駆動
回路および電子機器を提供することにある。
【課題を解決するための手段】
【０００４】
上記目的を達成するため本発明にあっては、複数の走査線と複数のデータ線との交差に
対応して設けられた画素電極とスイッチング素子との対を含み、前記スイッチング素子は
、前記データ線と前記画素電極との間にて、前記走査線に選択電圧が印加されたときに導
通状態となる複数の画素を備える電気光学装置の駆動回路であって、前記複数の走査線を
所定の順番で選択して前記選択電圧を印加する走査線駆動回路と、前記複数のデータ線の
各々に対応して設けられるとともに、一端が前記データ線に接続される一方、他端が給電
線に共通接続された複数のデータ側スイッチと、一の走査線に前記選択電圧が印加される
期間にわたって電圧が単調変化するランプ信号を生成するランプ信号生成回路と、前記ラ
ンプ信号をバッファリングして、前記給電線または前記画素電極に対向するコモン電極の
いずれか一方に供給するバッファ回路と、前記複数の走査線のうち、一の走査線に選択電
圧が印加された期間において、前記データ側スイッチを、当該選択電圧が印加された走査
線と当該データ側スイッチの一端に接続されたデータ線との交差に対応する画素の階調に
応じた期間だけオン状態とし、この後、当該データ側スイッチをオフ状態に制御するデー
タ線駆動回路と、を備え、前記バッファ回路は、前記選択電圧が印加された期間において
、当該選択電圧が印加された走査線に位置する画素の１行分の表示内容に応じて前記ラン
プ信号の駆動能力を切り替えることを特徴とする。本発明によれば、ランプ信号の駆動能
力が、選択電圧が印加された走査線に位置する画素の１行分の表示内容に応じて切り替え
られるので、駆動能力が低い場合に低消費電力化が期待できる。
【０００５】
本発明では、前記選択電圧が印加された期間において、前記給電線またはコモン電極の
いずれか他方は所定の電圧に保たれ、前記ランプ信号の電圧は、前記所定の電圧から離反
する方向に変化し、前記バッファ回路は、前記データ側スイッチがオンしている列数が少
なくなるにつれて、前記ランプ信号の駆動能力を低下させる構成が好ましい。この構成に
おいて、前記バッファ回路は、互いに並列接続された複数のオペアンプと、前記選択電圧
が印加された期間において前記データ側スイッチがオンしている列数に応じて、前記複数
のオペアンプのうち、バッファ動作を実行させるバッファの組み合わせを決定する負荷判
定回路と、を含む構成としても良い。
なお、本発明は、電気光学装置の駆動回路のみならず、電気光学装置それ自体、さらに
、当該電子機器を備える電子機器、としても概念することが可能である。
【発明を実施するための最良の形態】
【０００６】
以下、本発明の実施の形態について図面を参照して説明する。図１は、本発明の実施形
態に係る電気光学装置の構成を示すブロック図である。
この図に示されるように、電気光学装置１は、表示領域１００を有する。この表示領域
１００では、３２０行の走査線３１１が行（Ｘ）方向に延在する一方、２４０列のデータ
線２１１が列（Ｙ）方向に延在するように、それぞれ設けられている。そして、画素１２
０が３２０行の走査線３１１と２４０列のデータ線２１１との交差に対応して、それぞれ
配列している。したがって、本実施形態では、画素１２０が縦３２０行×横２４０列でマ
トリクス状に配列することになるが、本発明をこの配列に限定する趣旨ではない。
【０００７】
ここで、画素１２０の詳細な構成について説明する。図２は、画素１２０の構成を示す
図であり、ｉ行及びこれに隣接する（ｉ＋１）行と、ｊ列及びこれに隣接する（ｊ＋１）
列との交差に対応する２×２の計４画素分の構成が示されている。
なお、ｉ、（ｉ＋１）は、画素１２０が配列する行を一般的に示す場合の記号であって
、１以上３２０以下の整数であり、ｊ、（ｊ＋１）は、画素１２０が配列する列を一般的
に示す場合の記号であって、１以上２４０以下の整数である。
【０００８】
図２に示されるように、各画素１２０は、液晶容量（液晶素子）１３０と、スイッチン
グ素子として機能するｎチャネル型の薄膜トランジスタ（Thin Film Transistor：以下単
に「ＴＦＴ」と略称する）２４１とを有する。各画素１２０については互いに同一構成な
ので、ｉ行ｊ列に位置するもので代表して説明すると、当該ｉ行ｊ列の画素１２０におい
て、ＴＦＴ２４１のゲート電極はｉ行目の走査線３１１に接続される一方、そのソース電
極はｊ列目のデータ線２１１に接続され、そのドレイン電極は液晶容量１３０の一端たる
画素電極２３１に接続されている。
また、液晶容量１３０の他端はコモン電極１１０に接続されている。このコモン電極１
１０は、本実施形態では、図１に示されるように全ての画素１２０にわたって共通であっ
て、本実施形態では電圧Ｖcomで一定に保たれる。
【０００９】
液晶容量１３０では、画素電極２３１とコモン電極１１０との差電圧が保持されるとと
もに、液晶容量１３０の透過（または反射）光量が、当該保持電圧の実効値に応じて変化
する構成となっている。
このような構成としては、特に詳述する必要もないと考えられるが、画素電極とコモン
電極とで液晶を挟持して、液晶にかかる電界方向を基板面垂直方向とした方式や、画素電
極、絶縁層およびコモン電極とを積層して、液晶にかかる電界方向を基板面水平方向とし
た方式などが挙げられる。
なお、本実施形態では便宜上、液晶容量１３０において保持される電圧実効値がゼロに
近ければ、光の透過率が最大となって白色表示になる一方、電圧実効値が大きくなるにつ
れて透過する光量が減少して、ついには透過率が最小の黒色表示になるノーマリーホワイ
トモードとして説明する。
【００１０】
表示領域１００では、このように３２０行の走査線３１１と２４０列のデータ線２１１
とともに、これらの交差にそれぞれ画素１２０が設けられている。そこで次に、これらの
走査線３１１やデータ線２１１を駆動する回路である、ランプ信号生成回路１０、バッフ
ァ回路２０、データ線駆動回路２５０、スイッチ２６０、走査線駆動回路３５０および制
御回路４００について説明する。
制御回路４００は、制御信号ＣntXやリセット信号Ｒesの供給によってデータ線駆動回
路２５０を制御するとともに、制御信号ＣntYの供給によって走査線駆動回路３５０によ
る表示領域１００の垂直走査を制御する。また、制御回路４００は、極性指示信号Ｐol、
リセット信号Ｒesおよびクロック信号Ｃlkを、ランプ信号生成回路１０に供給する。
【００１１】
ランプ信号生成回路１０は、ある１行の走査線３１１に選択電圧が印加される水平走査
期間（１Ｈ）の最初にリセット信号Ｒesが供給されると、出力である信号Ｖrpの電圧を、
コモン電極１１０の印加電圧である電圧Ｖcomにリセットするとともに、クロック信号Ｃl
kが１周期分供給される毎に電圧ΔＶだけ上昇または下降させるものである。詳細には、
ランプ信号生成回路１０は、極性指示信号ＰolがＨレベルであれば、信号Ｖrpを、クロッ
ク信号Ｃlkが供給される毎に電圧ΔＶだけ上昇させる一方、極性指示信号ＰolがＬレベル
であれば、クロック信号Ｃlkが供給される毎に電圧ΔＶだけ下降させる。
クロック信号Ｃlkが水平走査期間（１Ｈ）に対して十分に高い周波数で一定であり、ま
た、電圧ΔＶも十分に小さいとすると、ランプ信号生成回路１０による信号Ｖrpは、図５
に示されるように、極性指示信号ＰolがＨレベルであれば、水平走査期間において電圧Ｖ
comから直線的に上昇し、極性指示信号ＰolがＬレベルであれば、水平走査期間において
電圧Ｖcomから直線的に下降するランプ信号とみなして良いことになる。
なお、ランプ信号Ｖrpは、極性指示信号ＰolがＨレベルであれば、水平走査期間（１Ｈ
）の終了時に電圧Ｖpに達し、極性指示信号ＰolがＬレベルであれば、水平走査期間（１
Ｈ）の終了時に電圧Ｖmに達しているものとする。
【００１２】
バッファ回路２０は、ランプ信号生成回路１０によるランプ信号Ｖrpの電圧をバッファ
リングして、すなわち電圧増幅率「１」で増幅して、ランプ信号Ｖoutとして給電線２８
１に出力するものであるが、詳細については、後述する。
【００１３】
走査線駆動回路３５０は、制御信号ＣntYにしたがって、１、２、３、…、３２０行目
の走査線３１１を、それぞれ水平走査期間（１Ｈ）毎に順番に選択するとともに、選択し
た走査線３１１に対応する走査信号を当該水平走査期間（１Ｈ）にわたってＨレベルに相
当する選択電圧Ｖddとし、それ以外の走査線３１１に対応する走査信号をＬレベルに相当
する非選択電圧Ｖss（＝電圧ゼロ＝Ｇnd）とするものである。ここで、１、２、３、…、
３２０行目の走査線３１１に供給される走査信号を、それぞれＹ１、Ｙ２、Ｙ３、…、Ｙ
３２０と表記すると、これらの走査信号は、図５に示されるように、水平走査期間（１Ｈ
）の幅を有するパルス信号を、順次シフトさせたものとなる。
なお、走査信号について特に行を特定しないで一般的に説明するときにはＹｉと表記す
る。また、本実施形態では、最初の走査信号Ｙ１がＨレベルに変化してから、最終の走査
信号Ｙ３２０がＬレベルに変化するまでの期間を垂直走査期間（１Ｆ）としている。
【００１４】
次に、データ線駆動回路２５０は、１、２、３、…、２４０列のデータ線２１１にそれ
ぞれ対応するスイッチ制御信号Ｘ１、Ｘ２、Ｘ３、…、Ｘ２４０を出力するものである。
詳述すると、データ線駆動回路２５０は、縦３２０行×横２４０列のマトリクス配列に
対応した記憶領域（図示省略）を有し、各記憶領域は、それぞれ対応する画素１２０の階
調データＤaを記憶する。階調データＤaは、画素１２０の階調値（明るさ）を指定するデ
ータであり、図示しない上位装置から供給され、表示内容に変更が生じた場合には、対応
する記憶領域に記憶された階調データＤaが書き換えられる。ここで、データ線駆動回路
２５０は、走査線駆動回路３５０によって１行の走査線３１１が選択されるとき、制御信
号ＣntXにしたがって当該走査線に位置する画素の階調データＤaの１行分を事前に読み出
し、この階調データＤaの１行分にしたがって、スイッチ制御信号Ｘ１、Ｘ２、Ｘ３、…
、Ｘ２４０を出力する。
また、データ線駆動回路２５０は、スイッチ制御信号Ｘ１、Ｘ２、Ｘ３、…、Ｘ２４０
のうち、Ｈレベルとした数を示すデータＮxを、バッファ回路２０に供給する。
なお、水平走査期間（１Ｈ）の開始タイミングを知らせるために、データ線駆動回路２
５０にリセット信号Ｒesが供給される。
ここで、スイッチ制御信号Ｘ１、Ｘ２、Ｘ３、…、Ｘ２４０について、特に列を特定し
ないで一般的に説明するときにＸｊと表記すると、スイッチ制御信号Ｘｊは、水平走査期
間（１Ｈ）の開始端から時間軸の後方側に、当該水平走査期間にて選択される走査線３１
１とｊ列目のデータ線２１１との交差に対応する画素の階調データＤaで指定された階調
値に応じた期間だけＨレベルとし、残余の期間でＬレベルとする。
【００１５】
一方、スイッチ２６０は、１〜２４０列目のデータ線２１１のそれぞれに対応して設け
られるデータ側スイッチである。各スイッチ２６０において、一方の端子は、それぞれ自
身に対応するデータ線２１１に接続され、他方の端子は、給電線２８１に共通接続される
。これらのスイッチ２６０は、例えばｊ列目のデータ線２１１に対応するスイッチ２６０
は、スイッチ制御信号ＸｊがＨレベルのときに、一方の端子と他方の端子との間が導通（
オン）状態となる一方、Ｌレベルのときに非導通（オフ）状態となる。
ここで便宜的に、１、２、３、…、２４０列目のデータ線２１１の電圧をＳ１、Ｓ２、
Ｓ３、…、Ｓ２４０と表記し、特に列を特定しないで一般的に説明するときにはＳｊと表
記することにする。
【００１６】
なお、液晶容量１３０に対する書込極性については、電圧Ｖcomを基準として画素電極
２３１の電位が高位である場合を正極性とし、低位である場合を負極性とする。この実施
形態においては、詳細については後述するように、電圧Ｖcomから電圧変化するランプ信
号Ｖoutが、給電線２８１→（オン状態の）スイッチ２６０→データ線２１１→（オン状
態の）ＴＦＴ２４１という経路で画素電極２３１に印加される一方、コモン電極１１０は
電圧Ｖcomで一定に保たれているので、液晶容量１３０に対する書込極性は、ランプ信号
が電圧Ｖcomから上昇方向に変化するときには正極性となり、電圧Ｖcomから下降方向に変
化するときには負極性となる。このため、ランプ信号の電圧変化方向を指定する極性指示
信号Ｐolは、液晶容量１３０への書込極性を指定することにもなる。
この極性指示信号Ｐolは、図５に示されるように、垂直走査期間（１Ｆ）内では、水平
走査期間（１Ｈ）毎に極性反転するとともに、隣接する垂直走査期間（１Ｆ）同士におい
て同一の水平走査期間に着目しても極性反転の関係にある。このため、本実施形態では、
走査線毎に書込極性が反転する走査線反転（行反転）となるが、本発明をこれに限定する
趣旨ではない。なお、このように極性反転する理由は、液晶に直流成分が印加されること
による劣化を防止するためである。
【００１７】
次に、バッファ回路２０の詳細構成について説明する。図３は、バッファ回路２０の構
成を示すブロック図である。
この図に示されるように、バッファ回路２０は、負荷判定回路２２と、スイッチ２０１
、２０２、２０３と、電圧バッファ２２１、２２２、２２３とを有する。
ランプ信号生成回路１０によるランプ信号Ｖrpは、スイッチ２０１、２０２、２０３の
一端にそれぞれ共通に供給される。スイッチ２０１の他端は電圧バッファ２２１の入力端
に接続され、同様に、スイッチ２０２、２０３の他端は電圧バッファ２２２、２２３の入
力端にそれぞれ接続される。電圧バッファ２２１、２２２、２２３の出力端は、給電線２
８１に共通接続されている。
このため、スイッチ２０１および電圧バッファ２２１の直列接続と、スイッチ２０２お
よび電圧バッファ２２２の直列接続と、スイッチ２０３および電圧バッファ２２３の直列
接続と、が互いに並列接続された構成となっている。
ここで、スイッチ２０１は、スイッチ制御信号ｄ１がＨレベルのときにオン状態となり
、Ｌレベルのときにオフ状態となる。同様に、スイッチ２０２、２０３は、スイッチ制御
信号ｄ２、ｄ３がＨレベルのときにオン状態となり、Ｌレベルのときにオフ状態となる。
また、電圧バッファ２２１、２２２、２２３は、それぞれオペアンプから構成されて、入
力端の電圧をバッファリングして出力端に出力するものであるが、その駆動能力は、本実
施形態ではそれぞれ１：２：４の比率に設定されている。
【００１８】
負荷判定回路２２は、データＮxから、スイッチ制御信号Ｘ１〜Ｘ２４０のうち、Ｈレ
ベルとなっている数、すなわち、１〜２４０列に対応するスイッチ２６０のうち、オンし
ている個数に応じて制御信号ｄ１、ｄ２、ｄ３の論理レベルを規定するものである。詳細
には、図４に示されるように、オンしている個数が減少するにつれて（オフ状態に変化す
る個数が増加するにつれて）、電圧バッファ２２１、２２２、２２３の組み合わせによる
駆動能力が低下するように、スイッチ制御信号ｄ１、ｄ２、ｄ３の論理レベルが設定され
ている。
【００１９】
次に、このような構成にかかる電気光学装置１における書き込みについて説明する。
すでに図５に示したように、垂直走査期間（１Ｆ）において走査信号Ｙ１〜Ｙ３２０は
、順番にＨレベルとなるが、ここでは、ｉ行目の走査信号Ｙｉと、これに続く（ｉ＋１）
行目の走査信号Ｙ（ｉ＋１）とがＨレベルとなる場合について説明する。図６は、ｉ行ｊ
列の画素の書き込みと、これより１行下に隣接する（ｉ＋１）行ｊ列の画素の書き込みと
について、走査信号Ｙｉ、Ｙ（ｉ＋１）との関係において示す図である。
ｉ行ｊ列の画素を、最高階調の白色と最低階調の黒色との中間階調とさせる場合であっ
て極性指示信号ＰolがＨレベルであれば、走査信号ＹｉがＨレベルとなる水平走査期間（
１Ｈ）において、スイッチ制御信号Ｘｊは、当該水平走査期間（１Ｈ）の開始時から、当
該中間階調に応じた期間Ｔ１だけＨレベルとなる。スイッチ制御信号ＸｊがＨレベルにな
ると、ｊ列目のスイッチ２６０がオン状態となるので、ｊ列目のデータ線２１１は給電線
２８１に接続される。このため、ｊ列目のデータ線２１１には、当該水平走査期間（１Ｈ
）の開始時において電圧Ｖcomから徐々に上昇するランプ信号Ｖoutが印加される。ここで
、走査信号ＹｉがＨレベルになると、ｉ行目の走査線３１１に位置する１行分の画素１２
０において、ＴＦＴ２４１がオン状態となる。
したがって、ｉ行ｊ列の画素１２０における画素電極２３１には、ｊ列目のデータ線２
１１に印加されたランプ信号Ｖoutがオン状態のＴＦＴ２４１を介して印加されることに
なる。
コモン電極１１０は、電圧Ｖcomに保たれているので、ｉ行ｊ列の画素における液晶容
量１３０では、ＴＦＴ２４１がオン状態となっているときにｊ列目のスイッチ２６０がオ
ンすることによって、画素電極２３１を高位側とした書き込みが開始されることになる。
【００２０】
次に、当該水平走査期間の開始時から期間Ｔ１だけ経過すると、データ信号ＸｊはＨレ
ベルからＬレベルに変化する。このため、スイッチ２６０がオフ状態となるので、ｊ列目
のデータ線２１１は、電圧不確定のハイ・インピーダンス状態となる。
このとき、ＴＦＴ２４１がオン状態にあれば、画素電極２３１もハイ・インピーダンス
状態になる。ただし、液晶容量１３０が、その直前の状態、すなわちスイッチ２６０がオ
フ状態に変化する直前のランプ信号Ｖoutとコモン電極１１０の電圧Ｖcomとの差電圧を保
持しているので、ｊ列目のデータ線の電圧Ｓｊおよび画素電極２３１の電圧は、当該直前
状態におけるランプ信号Ｖoutの電圧に保たれる。
したがって、ｉ行ｊ列の液晶容量１３０に対する書き込み電圧は、走査信号ＹｉがＨレ
ベルとなっている期間において、ｊ列目のスイッチ２６０がオフした瞬間に確定し、極性
指示信号ＰolがＨレベルであれば、ｊ列目のスイッチ２６０がオフした瞬間における電圧
Ｖoutと電圧Ｖcomとの差電圧（図６において↑で示される電圧）が、画素電極２３１を高
位側として、スイッチ２６０のオフ後においても保持されることなる。
なお、この保持状態は、当該水平走査期間の終了によりＴＦＴ２４１がオフしても同様
に保たれる。また、ここでは、ｉ行目の画素のうち、ｊ列目に位置するもので代表して動
作説明したが、走査信号ＹｉがＨレベルとなる期間においては、ｉ行目に位置する１〜２
４０列の画素１行分のすべてについてｊ列目のような書き込みが同時並行的に実行される
。
【００２１】
次の水平走査期間（１Ｈ）においては、走査信号Ｙ（ｉ＋１）がＨレベルとなるので、
（ｉ＋１）行目に位置する１行分の画素について書き込みが同様に実行される。ただし、
本実施形態では、走査線毎に書込極性が反転するので、極性指示信号ＰolがＬレベルに反
転する結果、ランプ信号Ｖoutは、当該水平走査期間において電圧Ｖcomから下降する。
このため、（ｉ＋１）行ｊ列の液晶容量１３０に対する書き込み電圧は、走査信号Ｙ（
ｉ＋１）がＨレベルとなっている期間において、ｊ列目のスイッチ２６０がオフした瞬間
に確定し、ｊ列目のスイッチ２６０がオフした瞬間における電圧Ｖoutと電圧Ｖcomとの差
電圧（図６において↓で示される電圧）が、画素電極２３１を低位側として、スイッチ２
６０のオフ後においても、さらにはＴＦＴ２４１がオフしても保持されることとなる。
【００２２】
ここでは、互いに隣接するｉおよび（ｉ＋１）行目の書き込みついて説明しているが、
このような書き込みは、垂直走査期間（１Ｆ）において、１、２、３、…、３２０行目の
順番で水平走査期間毎に実行されて、１フレームの画像が表示されることになる。また、
次の垂直走査期間（１Ｆ）では、各行において書込極性が反転して同様な書き込みが実行
されることになる。
【００２３】
本実施形態に係る電気光学装置では、極性指示信号Ｐolの論理レベルにかかわらず、各
水平走査期間の開始時では、すべてのスイッチ２６０がオン状態にあり、その後、当該水
平走査期間で選択される走査線に位置する画素１行分の表示内容に応じて、オン状態にあ
るスイッチ２６０が次第にオフ状態に変化していく。詳細には、本実施形態ではノーマリ
ーホワイトモードとしているので、当該水平走査期間で選択される走査線に位置する画素
１行分において、暗い階調とすべき画素が多ければ、時間的に遅くなるタイミングでオフ
するスイッチ２６０の個数が多くなる一方、明るい階調とすべき画素が多ければ、時間的
に早くなるタイミングでオフするスイッチ２６０の個数が多くなる。
【００２４】
ある水平走査期間においてオン状態にあるスイッチ２６０の個数が多い、ということは
、それだけ信号Ｖoutを供給すべきデータ線２１１および画素電極２３１の個数が多い（
すなわち、負荷が大きい）ということであり、これは、給電線２８１の負荷容量が大きい
ことを意味する。このため、ランプ信号Ｖoutを出力するバッファ回路２０には、それだ
け高い駆動能力が要求される。
なお、負荷の大きさに対してバッファ回路２０の駆動能力が低いと、ランプ信号Ｖout
は、入力であるランプ信号Ｖrpの電圧変化に追従できなくなるので、液晶容量１３０に対
して階調に応じた電圧を保持させることができなくなり、表示品位が悪化してしまう。
【００２５】
ここで、仮にランプ信号Ｖrpをバッファリングする回路の駆動能力を一定であれば、そ
の駆動能力は、最も高い状態（すなわち、１〜２４０列の全スイッチ２６０がオン状態）
に合わせる必要があるので、当該回路で消費される電力は大きくなってしまう。
これに対して、本実施形態におけるバッファ回路２０では、水平走査期間の開始時にお
いては全スイッチ２６０がオン状態にあるとき、図４に示されるように、スイッチ制御信
号ｄ１、ｄ２、ｄ３がＨレベルとなるので、スイッチ２０１、２０２、２０３がオン状態
になって、最大の駆動能力でランプ信号Ｖoutを出力するが、以降オン状態を継続するス
イッチ２６０の個数が減少するにつれて（オフ状態に変化するスイッチ２６０の個数が増
加するにつれて）、徐々に低くした駆動能力でランプ信号Ｖoutを出力する。このように
本実施形態では、負荷の減少に合わせて、駆動能力を徐々に低くしたランプ信号Ｖoutを
出力するので、高い表示品位を保った上で、バッファ回路２０で消費される電力を抑える
ことができるのである。
【００２６】
上述した実施形態において、負荷判定回路２２は、スイッチ制御信号Ｘ１〜Ｘ２４０の
うち、Ｈレベルとなっている個数に応じて、制御信号ｄ１、ｄ２、ｄ３の論理レベルを規
定したが、その判断の基礎については、ランプ信号Ｖoutが供給される給電線２８１の負
荷容量を反映させる要素であれば何でも良い。
例えば、スイッチ制御信号Ｘ１〜Ｘ２４０は、データ線駆動回路２５０の記憶領域に記
憶された階調データＤaのうち、選択する走査線の位置に対応する１行分の階調データに
基づくので、当該１行分の階調データを演算した結果により、水平走査期間における制御
信号ｄ１、ｄ２、ｄ３の論理レベルを規定しても良い。
【００２７】
なお、スイッチ２０１、２０２、２０３をオフしたときに、電圧バッファ２２１、２２
２、２２３への電源供給を中断する構成とすれば、より低消費電力化を図ることも可能で
ある。
また、バッファ回路２０では、３つの駆動能力の異なる電圧バッファを用いたが、例え
ば１：２：４：８というように４つ用いて１６段階で切り替え可能としても良いし、それ
以上の個数を用いてより細かい精度で切り替え可能としても良い。
さらに、同じ駆動能力の電圧バッファを水平走査期間の最初にすべて動作させる一方、
負荷の減少に合わせて、動作させる電圧バッファの個数を徐々に減らす構成としても良い
。
【００２８】
また、図１に示した電気光学装置１においては、ランプ信号Ｖoutをスイッチ２６０の
他端を共通接続する給電線２８１に供給し、コモン電極１１０に電圧Ｖcomを印加したが
、図７に示されるように、ランプ信号Ｖoutをコモン電極１１０に印加し、給電線２８１
に電圧Ｖcomを印加する構成としても良い。このような構成では、スイッチ２６０のオフ
個数が増加するにつれてコモン電極１１０の負荷容量が減少し、この減少に伴って、バッ
ファ回路２０によってランプ信号Ｖoutの駆動能力も低下することになる。
なお、この構成では、スイッチ２６０がオフすると、図８に示されるように、画素電極
２３１の電圧（ｊ列目のデータ線の電圧Ｓｊ）は、直前に保持された差電圧を保つように
、ランプ信号Ｖoutと同率で変化することになる。
【００２９】
ランプ信号Ｖrpの上昇または下降率は一定である必要はなく、単調増加または単調減少
であれば良い。例えば弓なりの、いわゆるガンマカーブとしても良い。
さらに、ランプ信号Ｖrp（Ｖout）を、正極性書込が指定されていれば電圧Ｖcomから電
圧Ｖpまで上昇させ、負極性書込が指定されていれば電圧Ｖcomから電圧Ｖmまで下降させ
る構成としたが、例えば、正極性書込が指定されていれば電圧Ｖcomから電圧Ｖpまで上昇
させ、負極性書込が指定されていれば、コモン電極１１０への印加電圧を電圧Ｖcomから
電圧Ｖpに切り替えた上で、ランプ信号Ｖrp（Ｖout）を電圧Ｖpから電圧Ｖcomまで下降さ
せる構成としても良い。このように、コモン電極１１０に印加する電圧を２値で切り替え
る構成では、ランプ信号Ｖrp（Ｖout）の電圧変化範囲が半分で済むので、走査線駆動回
路３５０やデータ線駆動回路２５０、電圧バッファ２２１、２２２、２２３における電圧
振幅を抑えられて、電圧の耐圧が少なくて済むので、その分、構成の簡易化を図ることが
できる。
【００３０】
また、液晶容量１３０はノーマリーホワイトモードとしたが、電圧無印加状態において
暗い状態となるノーマリーブラックモードとしても良い。さらに、Ｒ（赤）、Ｇ（緑）、
Ｂ（青）の３画素で１ドットを構成して、カラー表示を行うとしても良いし、さらに、別
の１色（例えばシアン（Ｃ））を追加し、これらの４色の画素で１ドットを構成して、色
再現性を向上させる構成としても良い。
【００３１】
＜電子機器＞
次に、上述した実施形態に係る電気光学装置１を表示装置に適用した電子機器について
説明する。図９は、実施形態に係る電気光学装置１を用いた携帯電話１２００の構成を示
す図である。
この図に示されるように、携帯電話１２００は、複数の操作ボタン１２０２のほか、受
話口１２０４、送話口１２０６とともに、上述した電気光学装置１を備えるものである。
なお、電気光学装置１のうち、表示領域１００に相当する部分以外の構成要素については
外観としては現れない。
なお、電気光学装置１が適用される電子機器としては、図９に示される携帯電話の他に
も、デジタルスチルカメラや、ノートパソコン、液晶テレビ、ビューファインダ型（また
はモニタ直視型）のビデオレコーダ、カーナビゲーション装置、ページャ、電子手帳、電
卓、ワードプロセッサ、ワークステーション、テレビ電話、ＰＯＳ端末、タッチパネルを
備えた機器等などが挙げられる。そして、これらの各種電子機器の表示装置として、上述
した電気光学装置１が適用可能であることは言うまでもない。
【図面の簡単な説明】
【００３２】
【図１】本発明の実施形態に係る電気光学装置の構成を示す図である。
【図２】同電気光学装置における画素の構成を示す図である。
【図３】同電気光学装置におけるバッファ回路の構成を示す図である。
【図４】同バッファ回路におけるスイッチ制御信号を規定する図である。
【図５】同電気光学装置における動作を説明するための図である。
【図６】同電気光学装置における動作を説明するための図である。
【図７】同電気光学装置における変形例の構成を示す図である。
【図８】同変形例の動作を示す図である。
【図９】実施形態に係る電気光学装置を適用した携帯電話の構成を示す図である。
【符号の説明】
【００３３】
１…電気光学装置、１０…ランプ信号生成回路、２０…バッファ回路、２２…負荷判定
回路、１１０…コモン電極、１２０…画素、２０１〜２０３…スイッチ、２２１〜２２３
…電圧バッファ、２１１…データ線、２３１…画素電極、２４１…ＴＦＴ、２５０…デー
タ線駆動回路、２８１…給電線、３１１…走査線、３５０…走査線駆動回路、４００…制
御回路
【図１】
2008170842.tif 000003
【図２】
2008170842.tif 000004
【図３】
2008170842.tif 000005
【図４】
2008170842.tif 000006
【図５】
2008170842.tif 000007
【図６】
2008170842.tif 000008
【図７】
2008170842.tif 000009
【図８】
2008170842.tif 000010
【図９】
2008170842.tif 000011